(57)【要約】【課題】絶縁シートと制御基板との間で生じた結露の水滴による故障を抑制できるリモコン装置を提供する。【解決手段】リモコン装置は、ケース１と、制御基板５と、絶縁シート６とを備えている。ケース１は前面部１ａを有し、前面部１ａに設けられた第１の係合部１ｃを有している。制御基板５はケース１の前面部１ａと向かい合うように配置されている。絶縁シート６は制御基板５を挟んでケース１の前面部１ａと向かい合うように配置され、第１の係合部１ｃと係合された第２の係合部６ａと、制御基板５に接続された状態でケース１に固定された固定部６ｂとを有している。固定部６ｂがケース１に固定された状態で、第１の係合部１ｃと第２の係合部６ｂとは、絶縁シート６が制御基板５から離れた位置で係合している。【選択図】図９
2014192574.tif 000002
【特許請求の範囲】
【請求項１】
前面部を有し、前記前面部に設けられた第１の係合部を有するケースと、
前記ケースの前記前面部と向かい合うように配置された制御基板と、
前記制御基板を挟んで前記ケースの前記前面部と向かい合うように配置され、前記第１の係合部と係合された第２の係合部と、前記制御基板に接続された状態で前記ケースに固定された固定部とを有する絶縁シートとを備え、
前記固定部が前記ケースに固定された状態で、前記第１の係合部と前記第２の係合部とは、前記絶縁シートが前記制御基板から離れた位置で係合している、リモコン装置。
【請求項２】
前記絶縁シートを前記制御基板とともに前記ケースに締結するための締結部材をさらに備え、
前記固定部は、基端が前記絶縁シートに接続され、先端が自由端である舌片部と、前記舌片部の先端側に配置された開口部とを含み、
前記舌片部が前記基端で傾斜した状態で、前記締結部材は前記開口部に挿入されて前記絶縁シートを前記制御基板とともに前記ケースに締結している、請求項１に記載のリモコン装置。
【請求項３】
前記舌片部の前記先端が前記基端よりも前記第２の係合部の近くに配置されている、請求項２に記載のリモコン装置。
【請求項４】
前記第１の係合部は、前記前面部から突出する鉤状部を含み、
前記第２の係合部は前記鉤状部を挿入可能な挿入孔を含む、請求項１〜３のいずれかに記載のリモコン装置。
【請求項５】
前記鉤状部は、前記挿入孔に挿入された状態で、前記ケースの前面部と前記絶縁シートとが向かい合う方向から見て前記挿入孔よりも前記固定部と反対側に配置された爪部を有している、請求項４に記載のリモコン装置。
【発明の詳細な説明】
【技術分野】
【０００１】
本発明はリモコン装置に関するものである。
【背景技術】
【０００２】
従来、給湯器などでは壁面にリモコン装置が設置されており、このリモコン装置が操作されることによって給湯器などの運転が制御される。壁面に設置されるリモコン装置においては、リモコン装置の薄型化を目的として、背面ケースを備えないものがある。背面ケースを備えないリモコン装置は、たとえば特開２００８−１８７０６９号公報（特許文献１）に開示されている。
【０００３】
背面ケースを備えないリモコン装置では、リモコン装置の背面側からのケース内への異物の侵入を防止するためにリモコン装置の背面が絶縁シートで覆われているものがある。背面が絶縁シートで覆われているリモコン装置は、たとえば特開２００２−３４５１２４号公報（特許文献２）に開示されている。
【先行技術文献】
【特許文献】
【０００４】
【特許文献１】特開２００８−１８７０６９号公報
【特許文献２】特開２００２−３４５１２４号公報
【発明の概要】
【発明が解決しようとする課題】
【０００５】
上記のような背面が絶縁シートで覆われているリモコン装置では、絶縁シートは、ビス等によって、ケース内に収容された制御基板とケースに共締めされている。このため、絶縁シートは制御基板に全面的に近接している。したがって、絶縁シートと制御基板との間で結露が生じた場合、結露で生じた水滴が絶縁シートと制御基板との間に滞留することによって制御基板の回路が短絡してリモコン装置が故障する虞がある。
【０００６】
本発明は、上記の課題を鑑みてなされたものであり、その目的は、絶縁シートと制御基板との間で生じた結露の水滴による故障を抑制できるリモコン装置を提供することである。
【課題を解決するための手段】
【０００７】
本発明のリモコン装置は、ケースと、制御基板と、絶縁シートとを備えている。ケースは前面部を有し、前面部に設けられた第１の係合部を有している。制御基板はケースの前面部と向かい合うように配置されている。絶縁シートは制御基板を挟んでケースの前面部と向かい合うように配置され、第１の係合部と係合された第２の係合部と、制御基板に接続された状態でケースに固定された固定部とを有している。固定部がケースに固定された状態で、第１の係合部と第２の係合部とは、絶縁シートが制御基板から離れた位置で係合している。
【０００８】
本発明のリモコン装置によれば、絶縁シートの固定部がケースに固定された状態で、ケースの第１の係合部と絶縁シートの第２の係合部とは、絶縁シートが制御基板から離れた位置で係合している。このため、絶縁シートと制御基板との間で結露が生じても互いの間にその結露の水滴が滞留することはない。したがって、その結露の水滴が絶縁シートと制御基板との間に滞留することによって制御基板の回路が短絡することを抑制できる。これにより、絶縁シートと制御基板との間で生じた結露の水滴によるリモコン装置の故障を抑制できる。
【０００９】
上記のリモコン装置は、絶縁シートを制御基板とともにケースに締結するための締結部材をさらに備えている。固定部は、基端が絶縁シートに接続され、先端が自由端である舌片部と、舌片部の先端側に配置された開口部とを含んでいる。舌片部が基端で傾斜した状態で、締結部材は開口部に挿入されて絶縁シートを制御基板とともにケースに締結している。このため、舌片部が基端で傾斜することで、絶縁シートと制御基板との距離を確保できる。これにより、結露の水滴が絶縁シートと制御基板との間に滞留することによって制御基板の回路が短絡することを確実に抑制できる。
【００１０】
上記のリモコン装置によれば、舌片部の先端が基端よりも第２の係合部の近くに配置されている。舌片部の先端側に配置された開口部に締結部材が挿入されることによって絶縁シートがケースに締結されているため、絶縁シートが締結部材でケースに固定された状態で舌片部の先端側に基端を移動させることができる。このため、絶縁シートが締結部材でケースに固定された状態で絶縁シートを第１の係合部に向かって移動させることができる。これにより、絶縁シートを引っ張って第１の係合部に第２の係合部を係合させることができる。第１の係合部と第２の係合部とが係合した後には、舌片部以外においては絶縁シートの剛性によって絶縁シートの形状が維持されるため、絶縁シートと制御基板との距離を確保できる。
【００１１】
上記のリモコン装置によれば、第１の係合部は、前面部から突出する鉤状部を含んでいる。第２の係合部は鉤状部を挿入可能な挿入孔を含んでいる。このため、鉤状部を挿入孔に挿入することで、第１の係合部と第２の係合部とを係合させることができる。
【００１２】
上記のリモコン装置によれば、鉤状部は、挿入孔に挿入された状態で、ケースの前面部と絶縁シートとが向かい合う方向から見て挿入孔よりも固定部と反対側に配置された爪部を有している。このため、挿入孔から爪部が外れることを抑制できる。これにより、第１の係合部と第２の係合部とをしっかりと係合させることができる。
【発明の効果】
【００１３】
以上説明したように、本発明によれば、絶縁シートと制御基板との間で生じた結露の水滴による故障を抑制できる。
【図面の簡単な説明】
【００１４】
【図１】本発明の一実施の形態におけるリモコン装置の構成を概略的に示す斜視図である。
【図２】本発明の一実施の形態におけるリモコン装置のカバーを開けた状態を概略的に示す斜視図である。
【図３】本発明の一実施の形態におけるリモコン装置の構成を正面側から概略的に示す分解斜視図である。
【図４】本発明の一実施の形態におけるリモコン装置の構成を背面側から概略的に示す分解斜視図である。
【図５】本発明の一実施の形態におけるリモコン装置のケースの構成を背面側から概略的に示す平面図である。
【図６】図５のＰ１部を拡大して示す斜視図である。
【図７】本発明の一実施の形態におけるリモコン装置の絶縁シートの構成を背面側から概略的に示す平面図である。
【図８】本発明の一実施の形態におけるリモコン装置のケースに制御基板および絶縁シートが収容された状態を背面側から概略的に示す平面図である。
【図９】図８のＩＸ−ＩＸ線に沿う断面図である。
【図１０】比較例におけるリモコン装置のケースに制御基板および絶縁シートが収容された状態を背面側から概略的に示す斜視図である。
【図１１】図１０のＰ２部を拡大して示す部分断面図である。
【発明を実施するための形態】
【００１５】
以下、本発明の実施の形態について図に基づいて説明する。
まず、本発明の一実施の形態におけるリモコン装置の構成について説明する。
【００１６】
図１を参照して、本発明の一実施の形態におけるリモコン装置は、たとえば給湯器を操作するためのものであり、室内の壁面に取り付けられて、給湯器の制御装置と電装線で接続された状態で使用される。つまり、リモコン装置は電装線と電気的に接続可能であり、電装線によって給湯器と電気的に接続可能である。
【００１７】
図２〜図４を参照して、本発明の一実施の形態のリモコン装置は、ケース１と、カバー２と、表示部３と、スイッチ４と、制御基板５と、絶縁シート６と、取付板７と、コネクタ８と、回路素子９とを主に有している。
【００１８】
リモコン装置の幅方向においてケース１の一方端部にカバー２の一方端部が軸回りに開閉可能に連結されている。ケース１およびカバー２はたとえばＡＢＳ樹脂などの樹脂材によって形成されている。ケース１の表面側に表示部３と、スイッチ４とが配置されている。カバー２が開いた状態で表示部３とスイッチ４とがカバー２の内側から現れる。なお、カバー２に覆われていない一部のスイッチ４については、カバーが閉じた状態でも操作することが可能である。なお、図１に示すようにカバー２が閉じた状態で表示部３とスイッチ４とはカバー２によって覆われている。
【００１９】
ケース１の背面側から制御基板５、絶縁シート６、取付板７の順に、ケース１の内側に制御基板５、絶縁シート６、取付板７が取り付けられている。制御基板５は互いに対向する第１の面５ａと第２の面５ｂとを有しており、リモコン装置の背面側に第１の面５ａが配置されており、リモコン装置の前面側に第２の面５ｂが配置されている。
【００２０】
制御基板５はケース１の前面部１ａと向かい合うように配置されている。制御基板５の第１の面５ａに複数のコネクタ８および複数の回路素子９が実装されている。複数のコネクタ８および複数の回路素子９は第１の面５ａからリモコン装置の背面側に突出するように取り付けられている。コネクタ８は、たとえば給湯器の制御装置に接続された電装線と接続される。回路素子９は、たとえばコンデンサである。
【００２１】
絶縁シート６は、制御基板５を挟んでケース１の前面部１ａと向かい合うように配置されている。絶縁シート６は、絶縁性を有する材料で形成されており、たとえばポリエチレン樹脂などの樹脂材によって形成されている。絶縁シート６は、可撓性を有する材料によってシート状に形成されている。絶縁シート６は、コネクタ８を透視しながら電装線を挿抜するために透明または半透明の樹脂材で形成されていることが好ましい。絶縁シート６は、コネクタ８の挿し込み口の手前近傍に相当する個所に、電装線の先端の挿入部を挿入する開口部を形成するための舌状部６０を有している。
【００２２】
取付板７は、板状に形成されており、たとえば鋼によって形成されている。取付板７は中央に開口部７ａを有している。この開口部７ａを覆うように絶縁シート６がケース１に取り付けられており、この状態で絶縁シート６の舌状部６０によって形成された開口部を通って電装線がコネクタ８に接続される。この取付板７は室内の壁面にねじなどによって取り付けられる。そして、取付板７が壁面に取り付けられた後に、取付板７にケース１を装着することによって、リモコン装置が室内の壁面に取り付けられる。
【００２３】
図５および図６を参照して、ケース１の構成についてさらに詳しく説明する。ケース１は、前面部１ａと、側面部１ｂと、第１の係合部１ｃとを主に有している。
【００２４】
前面部１ａは、リモコン装置の前面を構成する部材である。前面部１ａは板状に形成されている。前面部１ａは、表示部３が配置される開口部１ｆ、スイッチ４が配置される押圧部１ｇを有している。
【００２５】
側面部１ｂはリモコン装置の側面を構成する部材である。側面部１ｂは前面部１ａの外周端部に配置されており、リモコン装置の背面側に延びるように形成されている。前面部１ａと側面部１ｂとで取り囲まれた領域がケース１の内部空間を構成している。
【００２６】
第１の係合部１ｃは絶縁シート６と係合するための部材である。第１の係合部１ｃは前面部１ａに設けられている。本実施の形態では２つの第１の係合部１ｃが設けられており、２つの第１の係合部１ｃはそれぞれ対向する側面部１ｂの近傍に配置されている。つまり、２つの第１の係合部１ｃはそれぞれケース１の前面部１ａの両側に配置されている。
【００２７】
第１の係合部１ｃは前面部１ａからリモコン装置の背面側に突出する鉤状部１ｄを有している。鉤状部１ｄの前面部１ａからの高さ寸法は側面部１ｂの前面部１ａからの高さ寸法と略等しい。鉤状部１ｄの先端部分は、前面部１ａから突出する方向と交差する方向から見て屈曲している。鉤状部１ｄはその先端部分に前面部１ａに沿う方向に延びる爪部１ｅを有している。
【００２８】
続いて、図７を参照して、絶縁シート６の構成についてさらに詳しく説明する。
絶縁シート６は、第２の係合部６ａと、固定部６ｂと、舌状部６０とを有している。第２の係合部６ａはケース１の第１の係合部１ｃと係合可能に構成されている。本実施の形態では、２つの第１の係合部１ｃに対応して、２つの第２の係合部６ａが設けられている。２つの第２の係合部６ａは、絶縁シート６の両端部に設けられている。第２の係合部６ａは鉤状部１ｄを挿入可能な挿入孔６３を有している。また第２の係合部６ａは第１の係合部１ｃを係合可能な凹部を有している。つまり、図７中右側の第２の係合部６ａは挿入孔６３を有しており、図７中左側の第２の係合部６ａは凹部を有している。
【００２９】
固定部６ｂは制御基板５に接続された状態でケース１に固定可能に構成されている。固定部６ｂは、舌片部６１と、開口部６２とを有している。舌片部６１は基端６１ａが絶縁シート６に接続され、先端６１ｂが自由端である。舌片部６１は、基端６１ａの両端から絶縁シート６に切り込みを入れることで形成されている。舌片部６１の先端６１ｂが基端６１ａよりも第２の係合部６ａの近くに配置されている。舌片部６１は基端側から逆Ｕ字形に形成されている。開口部６２は舌片部６１の先端側に配置されている。開口部６２は後述する締結部材を挿入可能に形成されている。
【００３０】
続いて、上記のケース１の内側に制御基板５が取り付けられた状態について説明する。図８および図９を参照して、この状態では、ケース１の内部空間に制御基板５を挟んで絶縁シート６が収容されている。固定部６ｂは制御基板５とともにケース１に締結部材１０で共締めされている。この際、舌片部６１が基端６１ａで傾斜した状態で、締結部材１０は開口部６２に挿入されて絶縁シート６を制御基板５とともにケース１に締結している。ここで、締結部材１０は絶縁シート６を制御基板５とともにケース１に締結するための部材であり、たとえばビスである。なお、制御基板５の固定部６ｂが取り付けられた部分には、回路は形成されていない。このため、制御基板５と固定部６ｂとの間で結露が生じた場合でも結露の水滴によって制御基板５の回路が短絡することはない。
【００３１】
固定部６ｂがケース１に固定された状態で、第１の係合部１ｃと第２の係合部６ａとは、絶縁シート６が制御基板５から離れた位置で係合している。つまり、第１の係合部１ｃの鉤状部１ｄは第１の面５ａから突出しており、この鉤状部１ｄが挿入孔６３に挿入されて絶縁シート６が支持されているため、第１の係合部１ｃと第２の係合部６ａは第１の面５ａから離れた位置で係合している。また、固定部６ｂでは舌片部６１が基端６１ａで傾斜している。したがって、絶縁シート６と制御基板５との間に空間部が構成され、絶縁シート６を制御基板５から浮かせた状態を保つことができる。このようにして絶縁シート６と制御基板５との距離が確保される。
【００３２】
鉤状部１ｄは、挿入孔６３に挿入された状態で、ケース１の前面部１ａと絶縁シート６とが向かい合う方向から見て挿入孔６３よりも固定部６ｂと反対側に配置された爪部１ｅを有している。つまり、鉤状部１ｄが挿入孔６３に挿入された状態で、ケース１と絶縁シート６とが重ねられた方向からみて、爪部１ｅは絶縁シート６と重なっている。そして、爪部１ｅは挿入孔６３の固定部６ｂと反対側の縁を越えて絶縁シート６と重なっている。
【００３３】
次に、本発明の一実施の形態におけるリモコン装置の作用効果について比較例と対比して説明する。
【００３４】
図１０および図１１を参照して、比較例におけるリモコン装置は、絶縁シートが制御基板とケースに単純に共締めされている。このため、図１１に示すように、絶縁シート６と制御基板５との間で結露が生じた場合、結露で生じた水滴が絶縁シート６と制御基板５との間で全面的に滞留することによって制御基板５の回路が短絡してリモコン装置が故障する虞がある。
【００３５】
一方、本発明の一実施の形態のリモコン装置によれば、図９に示すように、絶縁シート６の固定部６ｂがケース１に固定された状態で、ケース１の第１の係合部１ｃと絶縁シート６の第２の係合部６ａとは、絶縁シート６が制御基板５から離れた位置で係合している。このため、絶縁シート６と制御基板５との間で結露が生じても互いの間にその結露の水滴が滞留することはない。したがって、その結露の水滴が絶縁シート６と制御基板５との間に滞留することによって制御基板５の回路が短絡することを抑制できる。これにより、絶縁シート６と制御基板５との間で生じた結露の水滴によるリモコン装置の故障を抑制できる。
【００３６】
本発明の一実施の形態のリモコン装置によれば、図９に示すように、舌片部６１が基端６１ａで傾斜した状態で、締結部材１０は開口部６２に挿入されて絶縁シート６を制御基板５とともにケース１に締結している。このため、舌片部６１が基端６１ａで傾斜することで、絶縁シート６と制御基板５との距離を確保できる。これにより、結露の水滴が絶縁シート６と制御基板５との間に滞留することによって制御基板５の回路が短絡することを確実に抑制できる。
【００３７】
本発明の一実施の形態のリモコン装置によれば、図８に示すように、舌片部６１の先端６１ｂが基端６１ａよりも第２の係合部６ａの近くに配置されている。舌片部６１の先端側に配置された開口部６２に締結部材１０が挿入されることによって絶縁シート６がケース１に締結されているため、絶縁シート６が締結部材１０でケース１に固定された状態で舌片部６１の先端側に基端６１ａを移動させることができる。このため、絶縁シート６が締結部材１０でケース１に固定された状態で絶縁シート６を第１の係合部１０ｃに向かって移動させることができる。これにより、絶縁シート６を引っ張って第１の係合部１ｃに第２の係合部６ａを係合させることができる。第１の係合部１ｃと第２の係合部６ａとが係合した後には、舌片部以外においては絶縁シート６の剛性によって絶縁シート６の形状が維持されるため、絶縁シート６と制御基板５との距離を確保できる。
【００３８】
本発明の一実施の形態のリモコン装置によれば、図９に示すように、第１の係合部１ｃは前面部１ａから突出する鉤状部１ｄを有し、第２の係合部６ａは鉤状部１ｄを挿入可能な挿入孔６３を有している。このため、鉤状部１ｄを挿入孔６３に挿入することで、第１の係合部１ｃと第２の係合部６ａとを係合させることができる。
【００３９】
また、鉤状部１ｄに挿入孔６３を引っかけることで絶縁シート６を支持できるため、絶縁シート６を固定するためのビスの本数を減らすことができる。このため、生産コストを含めた生産効率を向上することができる。
【００４０】
本発明の一実施の形態のリモコン装置によれば、図９に示すように、鉤状部１ｄは、挿入孔６３に挿入された状態で、ケース１の前面部１ａと絶縁シート６とが向かい合う方向から見て挿入孔６３よりも固定部６ｂと反対側に配置された爪部１ｅを有している。このため、挿入孔６３から爪部１ｅが外れることを抑制できる。これにより、第１の係合部１ｃと第２の係合部６ａとをしっかりと係合させることができる。
【００４１】
また、絶縁シート６を爪部側に引っ張って絶縁シート６を立ち上げた状態で挿入孔６３を爪部１ｅに引っかけて固定することで、絶縁シート６を立ち上げる前の状態に戻らなくすることができる。これにより、絶縁シート６が制御基板５から浮いた状態を保つことができる。
【００４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４３】
１  ケース、１ａ  前面部、１ｂ  側面部、１ｃ  第１の係合部、１ｄ  鉤状部、１ｅ  爪部、２  カバー、３  表示部、４  スイッチ、５  制御基板、６  絶縁シート、６ａ  第２の係合部、６ｂ  固定部、７  取付板、８  コネクタ、９  回路素子、１０  締結部材、６０  舌状部、６１  舌片部、６１ａ  基端、６１ｂ  先端、６２  開口部、６３  挿入孔。
【図１】
2014192574.tif 000003
【図２】
2014192574.tif 000004
【図３】
2014192574.tif 000005
【図４】
2014192574.tif 000006
【図５】
2014192574.tif 000007
【図６】
2014192574.tif 000008
【図７】
2014192574.tif 000009
【図８】
2014192574.tif 000010
【図９】
2014192574.tif 000011
【図１０】
2014192574.tif 000012
【図１１】
2014192574.tif 000013